(57)【要約】【課題】貯蔵室内の見栄え向上を図ると共に信号線の保護を図る。【解決手段】貯蔵室１４の内壁面１４Ａに、取付部材４０を取付ける。この取付部材４０には、内壁面１４Ａに開設した開口１４Ｂと同心で該開口１４Ｂより小径に設定されて、サーミスタＴの感温部Ｔ１の挿通を許容するセット口４６が設けられている。従って感温部Ｔ１は、開口１４Ｂおよびセット口４６を介して内部に挿入されて取付部材４０に取付けられる。なお、セット口４６にはグロメット６０が嵌着される。また取付部材４０には、感温部Ｔ１から導出してセット口４６に至る信号線Ｔ２を被覆する被覆板部４４が設けられている。【選択図】図４
2008014546.tif 000002
【特許請求の範囲】
【請求項１】
恒温庫等の庫内に設けた貯蔵室(14)内の温度を感知する感温部(T1)を、該貯蔵室(14)の内壁面(14A)における前縁近傍に開設した開口(14B)を介して内部へ挿入して該内壁面(14A)に配設するサーミスタの配設構造において、
前記貯蔵室(14)の内壁面(14A)に取付部材(40)が取付けられ、
前記取付部材(40)には、前記開口(14B)と同心で該開口(14B)より小径に設定されて、前記感温部(T1)の挿通を許容するセット口(46)が設けられ、
前記感温部(T1)は、開口(14B)およびセット口(46)を介して内部に挿入されて前記取付部材(40)に取付けられるよう構成した
ことを特徴とするサーミスタの配設構造。
【請求項２】
前記取付部材(40)に、該取付部材(40)に取付けられた前記感温部(T1)から導出して前記セット口(46)に至る信号線(T2)を被覆する被覆板部(44)を設けた請求項１記載のサーミスタの配設構造。
【請求項３】
前記セット口(46)に、前記信号線(T2)が挿通された蓋部材(60)が嵌着されている請求項２記載のサーミスタの配設構造。
【発明の詳細な説明】
【技術分野】
【０００１】
本発明は、サーミスタの配設構造に関し、更に詳細には、恒温庫等の庫内に設けた貯蔵室内の温度を感知する感温部を、該貯蔵室の内壁面における前縁近傍に開設した開口を介して内部へ挿入して該内壁面に配設するサーミスタの配設構造に関するものである。
【背景技術】
【０００２】
例えば図６は、断熱構造に形成された外箱１２および該外箱１２の内側に設けた内箱１４からなる二重箱構造とされて、この内箱１４が物品を収容する貯蔵室として機能する恒温庫を例示した断面図である。この恒温庫１０は、前記外箱１２と貯蔵室１４との間に空間１６が画成され、この空間１６内に配設した冷却装置１８およびファン２０で該空間１６内の空気を冷却・循環させることで前記貯蔵室１４自体を冷し、該貯蔵室１４内を間接的に冷却するようになっている。このため前記貯蔵室１４内には、室内の温度を感知するためのサーミスタＴがその上部内壁面１４Ａに設置されており、このサーミスタＴによる温度感知結果に基づいて貯蔵室１４内の温度制御が図られる。
【０００３】
前記サーミスタＴは、図７および図９に示すように、前記貯蔵室１４内の温度を感知する感温部Ｔ１と、この感温部Ｔ１から延出して図示省略した制御部へ電気的に接続される信号線Ｔ２とから構成されている。そしてサーミスタＴの感温部Ｔ１は、図８に示すように、前記外箱１２に穿設した挿通孔１２Ａおよび前記上部内壁面１４Ａに開設した開口１４Ｂを介して、制御部が配設された上部機械室２２から貯蔵室１４内へ引き出され、サーミスタ固定部材３０に固定した状態で該上部内壁面１４Ａに対して取付けられる。このようなサーミスタの配設構造は、例えば特許文献１に開示されている。
【特許文献１】特公平７−３３９５３号公報
【発明の開示】
【発明が解決しようとする課題】
【０００４】
ところで、前記サーミスタＴの配設作業は、前述したように、前記挿通孔１２Ａへ挿通させた感温部Ｔ１を、下方へ垂らしながら開口１４Ｂへ挿通させて貯蔵室１４内へ引き出すようになっているので、挿通作業の簡易化を図るために、(ａ)開口寸法を大きく設定し(例えば２０ｍｍ程度)、(ｂ)かつ該貯蔵室１４の上部内壁面１４Ａにおける前縁近傍に開設してある。このため前記開口１４Ｂが、扉２４の開放時に庫外から見えてしまい、見栄えがよくない問題を内在していた。
【０００５】
また感温部Ｔ１は、扉２４の開閉に伴う温度変化が大きい前面開口２６の近傍部分ではなく、温度変化が小さい部位、すなわち貯蔵室１４の上部内壁面１４Ａにおける前後方向の略中央付近に取付けられるようになっている。このため図９に示したように、感温部Ｔ１と開口１４Ｂとが離れて位置するため、感温部Ｔ１から導出された信号線Ｔ２が該貯蔵室１４内へ露出した状態となり、貯蔵室１４に対する物品の出し入れ時や、ドレンパン２７または該ドレンパン２７を支持するドレンガイド２９(図７)の脱着作業時に、誤って信号線Ｔ２に接触して該信号線Ｔ２を断線させてしまうおそれもあった。
【０００６】
更に、前記感温部Ｔ１の取付位置が前面開口２６から奥まって位置しているため、前記貯蔵室１４の上部内壁面１４Ａに設けたネジ孔２８,２８とサーミスタ固定部材３０に設けたネジ挿通孔３８,３８との整合状態を直接目視して確認することができない。このため、ネジ孔２８,２８に対する取付ネジＳ,Ｓのねじ込みに手間取り、サーミスタＴの取付作業を円滑に行ない難い欠点等もあった。
【０００７】
従って本発明は、貯蔵室の内壁面に取付部材を取付けることで、貯蔵室内の見栄え向上を図ると共に、信号線の保護を図るようにしたサーミスタの配設構造を提供することを目的とする。
【課題を解決するための手段】
【０００８】
前記課題を解決し、所期の目的を達成するため、本願の請求項１に記載の発明は、
恒温庫等の庫内に設けた貯蔵室内の温度を感知する感温部を、該貯蔵室の内壁面における前縁近傍に開設した開口を介して内部へ挿入して該内壁面に配設するサーミスタの配設構造において、
前記貯蔵室の内壁面に取付部材が取付けられ、
前記取付部材には、前記開口と同心で該開口より小径に設定されて、前記感温部の挿通を許容するセット口が設けられ、
前記感温部は、開口およびセット口を介して内部に挿入されて前記取付部材に取付けられるよう構成したことを要旨とする。
【０００９】
従って、請求項１に係る発明によれば、開口寸法を大きく設定した開口が取付部材により覆われるため、貯蔵庫内の見栄え向上が図られる。
【００１０】
請求項２に記載の発明は、請求項１に記載の発明において、前記取付部材に、該取付部材に取付けられた前記感温部から導出して前記セット口に至る信号線を被覆する被覆板部を設けたことを要旨とする。
従って、請求項２に係る発明によれば、感温部から開口の間に延在する信号線が被覆板部で被覆されて貯蔵室内へ殆ど露出しないため、誤って信号線に接触して該信号線を破断させてしまう不都合の発生を好適に防止し得る。
【００１１】
請求項３に記載の発明は、請求項２に記載の発明において、前記セット口に、前記信号線が挿通された蓋部材が嵌着されていることを要旨とする。
従って、請求項３に係る発明によれば、セット口が蓋部材で覆蓋されるので、貯蔵庫内の更なる見栄え向上が図られる。
【発明の効果】
【００１２】
本発明に係るサーミスタの配設構造によれば、貯蔵室の内壁面に取付部材を取付けたことにより、貯蔵室内の見栄え向上が図られる一方、信号線の保護をも図り得る等の有益な効果を奏する。
【発明を実施するための最良の形態】
【００１３】
次に、本発明に係るサーミスタの配設構造につき、好適な実施例を挙げて、添付図面を参照しながら以下説明する。なお、説明の便宜上、図１の左側を恒温庫１０の前側、右側を該恒温庫１０の後側とする。
【実施例】
【００１４】
図１は、本実施例に係るサーミスタの配設構造を実施した恒温庫の要部断面図である。本実施例の恒温庫１０は、基本的には図６および図７に示した従来の恒温庫１０と同型であって、断熱構造に構成された外箱１２および該外箱１２の内側に設けた内箱１４とからなる二重箱構造とされ、この内箱１４が貯蔵室として機能する。外箱１２は、例えばウレタンや発泡スチロール等の断熱性に優れた所要厚の断熱材料が内装されており、恒温庫１０内外の断熱を図るようになっている。また貯蔵室１４は、ステンレス等の熱伝導性に優れた薄肉の板材を組み合わせて構成されており、空間１６を流通する冷却空気との間で熱交換が行なわれるようになっている。
【００１５】
そして、前記外箱１２と前記貯蔵室１４との間に画成された空間１６内の上部に冷却装置１８およびファン２０が配設され、該冷却装置１８で冷却された冷却空気を該ファン２０の駆動に基づいて該空間１６内で循環させ、貯蔵室１４内を間接的に冷却する。また、貯蔵室１４の前記上部内壁面１４Ａにおける前端近傍の前側部分には、従来と略同一サイズの開口１４Ｂが開設されている一方、外箱１２には、開口１４Ｂと上下方向において整合する位置に挿通孔１２Ａが穿設されている。
【００１６】
本実施例に係るサーミスタの配設構造は、図８および図９に示した従来の配設構造と比較すると、図１および図２に示すように、貯蔵室１４の上部内壁面１４Ａに対し、該貯蔵室１４の前後方向に延在するようブラケット(取付部材)４０が新たに取付けられている。このブラケット４０は、例えば所要の輪郭形状に予備成形したステンレス製のプレート材を折曲げて成形したもので、感温部Ｔ１が組付けられ、貯蔵室１４の上部内壁面１４Ａに当接する取付板部４２と、この取付板部４２に一体的に形成され、信号線Ｔ２を被覆するよう機能する被覆板部４４とから構成されている。
【００１７】
取付板部４２は、サーミスタＴの感温部Ｔ１が位置する上部内壁面１４Ａの略中央部位から前面開口２６に臨む部位までの間隔に相当する全長に設定され、全体が細長の帯板状を呈している。そして、取付板部４２の前側部分には、前記開口１４Ｂと同心となると共に、前記感温部Ｔ１の挿通を許容する条件の下で該開口１４Ｂより小径に設定されたセット口４６が開設されている。そして、開口１４Ｂに対してセット口４６を同心状に整合させた状態が、上部内壁面１４Ａに対するブラケット４０の適切な取付位置となるように設定されている。なお、セット口４６に隣接して、第１の取付ネジＳ１の挿通を許容するネジ挿通孔４８が穿設されている。
【００１８】
またセット口４６には、後述すると共に図４に示すように、信号線Ｔ２を挿通させたグロメット(蓋部材)６０が嵌着されるようになっている。このグロメット６０は、例えばゴムやウレタン等の弾力性を有する素材から形成された円形のキャップ状部材であって、その中心には信号線Ｔ２の挿通を許容する貫通孔６０Ａが穿設されている。この貫通孔６０Ａは、信号線Ｔ２の太さに合致する内径に設定されているが、グロメット６０の弾力変形時には前記感温部Ｔ１の挿通も許容するようになっている。このようなグロメット６０は、セット口４６に対して弾力的に嵌着されて該セット口４６を覆蓋する。
【００１９】
また、取付板部４２の後側部分は、貯蔵室１４の中央側を指向する側が所要長に亘って幅広に形成されており、この幅広部分にサーミスタＴの感温部Ｔ１が固定されたサーミスタ固定部材３０が取付けられる。すなわち、幅広部分が前記サーミスタ固定部材３０の取付台座として機能し、該サーミスタ固定部材３０を固定するための第２の取付ネジＳ２,Ｓ２が螺合するネジ孔５０,５０が、所要間隔に形成されている。
【００２０】
被覆板部４４は、前記取付板部４２の幅方向における一方の端縁、すなわち前記貯蔵室１４の中央側を指向するようになる端縁４２Ａに沿って所要長に延在する第１被覆部５２と、該取付板部４２の前端に折曲成形された第２被覆部５４とからなっている。このうち第１被覆部５２は、取付板部４２に対して略９０°に折曲した第１板部５２Ａと、この第１板部５２Ａの端縁から該第１板部５２Ａに対して略９０°に折曲した第２板部５２Ｂとからなり、短手方向に破断した際の断面形状が略Ｌ字形を呈している。従って第２板部５２Ｂは、図３(ｂ)等に示すように、所要間隔で取付板部４２と略平行に延在しており、その先端縁は取付板部４２の他方の端縁４２Ｂと略整合するように延出している。これにより、当該のブラケット４０を、貯蔵室１４の上部内壁面１４Ａと側部内壁面１４Ｃとの隅角部に取付けた場合、図３に示すように、取付板部４２、第１被覆部５２および第２被覆部５４、そして側部内壁面１４Ｃにより細長の空間５８が画成されるようになり、感温部Ｔ１から導出した信号線Ｔ２を、該空間５８内に挿通させることで貯蔵室１４内へ露出しないようにし得る。
【００２１】
前記サーミスタ固定部材３０は、図８に示した従来のものと基本的に同一であり、略中央部で所要角度に折曲成形されて、取付板部４２に当接する当接部３２と感温部Ｔ１を固定支持する支持部３４とからなっている。前記支持部３４には、感温部Ｔ１を抱持した状態で固定するセット板３６が設けられている。また前記当接部３２には、前記第２の取付ネジＳ２,Ｓ２の挿通を許容する第２のネジ挿通孔３８,３８が穿設されている。
【００２２】
なお、前記貯蔵室１４の上部内壁面１４Ａには、前記ブラケット４０を固定するための第１の取付ネジＳ１および第２の取付ネジＳ２,Ｓ２に対応する合計３個のネジ孔５６,５６,５６が、所定の間隔および位置に形成されている。
【００２３】
次に、本実施例のサーミスタの配設構造におけるサーミスタＴの取付手順を、図４および図５を引用して説明する。
【００２４】
上部機械室２２の制御部に接続されているサーミスタＴは、従来と同様に、前記外箱１２の挿通孔１２に対して上方から挿通させた感温部Ｔ１を、そのまま下方へ垂らして上部内壁面１４Ａの開口１４Ｂへ挿通させ、貯蔵室１４内へ引き出す。そして、図４および図５(ａ)に示すように、開口１４Ｂを介して貯蔵室１４内へ引き出した感温部Ｔ１を、別途準備した前記ブラケット４０のセット口４６へ挿通させた後、更にグロメット６０の貫通孔６０Ａへ弾力的に挿通させて該グロメット６０を信号線Ｔ２へ装着する。
【００２５】
そして、信号線Ｔ２に対してグロメット６０の装着が完了したら、サーミスタ固定部材３０のセット板３６に感温部Ｔ１を固定し、前記感温部Ｔ１を取付けた前記サーミスタ固定部材３０を、前記ブラケット４０の取付板部４２に対して仮固定する。すなわち、２本の第２の取付ネジＳ２,Ｓ２を、サーミスタ固定部材３０のネジ挿通孔３８,３８へ夫々挿通させたもとで、取付板部４２の各対応のネジ孔５０,５０へ螺合させる。この際に、各々の取付ネジＳ２,Ｓ２は、根元まで完全にねじ込まず、その先端が取付板部４２の裏側から突出しない程度までねじ込むようにする。第２の取付ネジＳ２,Ｓ２をこの程度だけねじ込んでおけば、前記サーミスタ固定部材３０が前記ブラケット４０から脱落することはないから、前記サーミスタＴと該ブラケット４０とを単体として取扱い得る。
【００２６】
前記ブラケット４０に対する前記サーミスタ固定部材３０の仮固定が完了したら、図５(ｂ)に示したように、前記第１被覆部５２の第２板部５２Ｂの上面に前記信号線Ｔ２を引っ掛けるように載せたもとで、該ブラケット４０の取付板部４２を上部内壁面１４Ａへ押し当てて、前記セット口４６を前記開口１４Ｂと同心状に整合させる。これにより、上部内壁面１４Ａに対するブラケット４０の位置決めが図られ、該ブラケット４０に設けたネジ挿通孔４８およびネジ孔５０,５０が、上部内壁面１４Ａに設けた対応の各ネジ孔５６,５６,５６と略整合した状態となる。従って図５(ｃ)に示すように、前記サーミスタ固定部材３０を仮固定していた前記２本の第２の取付ネジＳ２,Ｓ２は、ドライバーで回転させるだけで当該のネジ孔５６,５６へ容易にねじ込まれる。また前記第１の取付ネジＳ１は、ネジ挿通孔１２Ａへ挿通させてドライバーで回転させるだけで、対応のネジ孔５６へ容易にねじ込まれる。
【００２７】
そして、上部内壁面１４Ａに対してブラケット４０の取付けが完了したら、信号線Ｔ２に装着してあった前記グロメット６０を、該ブラケット４０の前記セット口４６へ嵌着する。これにより、貯蔵室１４に対するサーミスタＴの配設作業が完了する。
【００２８】
従って、本実施例に係るサーミスタの配設構造では、サーミスタＴの取付作業段階においては、次のような有益な効果を奏する。先ず、上部内壁面１４Ａに対するブラケット４０の位置決めが、貯蔵室１４の前面開口２６に隣接して位置する開口１４Ｂに対してブラケット４０のセット口４６を同心状に整合させることで実現されるため、目視による整合状態の確認を容易に行ない得る。そして、ブラケット４０の位置決めが完了すれば、貯蔵室１４の奥まった位置にサーミスタ固定部材３０を介して取付けられるサーミスタＴの感温部Ｔ１の位置決めが自動的に完了するため、第２の取付ネジＳ２,Ｓ２を利用した感温部Ｔ１の取付作業を円滑かつ簡易に行なうことが可能となる。
【００２９】
サーミスタＴの取付けが完了した恒温庫１０の実施段階においては、図１〜図３に示すように、感温部Ｔ１から開口１４Ｂに亘って延在する信号線Ｔ２が、前記被覆板部４４の第１被覆部５２および第２被覆部５４の背面側の空間５８内に収容されているため、貯蔵室１４内へ殆ど露出していない。このため、サーミスタＴに隣接してドレンパン２７等が配設された構造の場合、このドレンパン２７の出し入れ時や図３に示したドレンガイド２９の脱着作業時に、信号線Ｔ２に接触することがない。また前記開口１４Ｂは、ブラケット４０およびセット口４６に嵌着した前記グロメット６０により完全に隠れてしまうため、扉２４を開放しても庫外から全く視認されない。
【００３０】
従って、本実施例に係るサーミスタの配設構造では、サーミスタＴの取付完了後の実施段階においては、次のような有益な効果を奏する。先ず、貯蔵室１４の上部内壁面１４Ａに設けた開口１４Ｂが、ブラケット４０およびセット口４６に嵌着したグロメット６０で完全に覆われるため、該貯蔵室１４の見栄え向上および恒温庫１０の質感向上を好適に図り得る。また、ブラケット４０によりサーミスタＴの感温部Ｔ１および信号線Ｔ２が庫外から殆ど見えないので、これによっても貯蔵室１４の見栄え向上および恒温庫１０の質感向上が図られる。更に、感温部Ｔ１から導出してセット口４６(開口１４Ｂ)に至る信号線Ｔ２が、ブラケット４０の被覆板部４４で被覆されて貯蔵室１４内へ殆ど露出していないため、信号線Ｔ２を断線させてしまう不都合の発生を好適に防止し得る。
【００３１】
なお、前述した実施例では、信号線Ｔ２に装着したグロメット６０をセット口４６に嵌着した形態を例示したが、このグロメット６０を装着しなくても貯蔵室１４の見栄えの向上は図り得る。すなわちセット口４６は、感温部Ｔ１の挿通を許容する程度の開口寸法であって開口１４Ｂより小径に形成されているから、上部内壁面１４Ａの前縁近傍に位置していてもそれほど目立たないからである。
【００３２】
また前記ブラケット４０の形状は、前述した実施例の例示のものに限定されるものではなく、開口１４Ｂを適切に覆うようになると共に、サーミスタＴの信号線Ｔ２を適切に被覆し得るものであれば、これ以外の形状であってもよい。
【００３３】
また前述した実施例では、恒温庫に装着されるサーミスタを例示したが、本願が対象とするサーミスタの配設構造は、サーミスタを装備する種々冷蔵庫や温蔵庫等に実施可能である。
【産業上の利用可能性】
【００３４】
本発明に係るサーミスタの配設構造は、サーミスタを装備する種々冷蔵庫や温蔵庫等に好適に実施可能である。
【図面の簡単な説明】
【００３５】
【図１】本実施例に係るサーミスタの配設構造を実施した恒温庫の要部断面図である。
【図２】本実施例に係るサーミスタの配設構造を斜視状態で示した説明図である。
【図３】(ａ)は図２のIIIa−IIIa線断面図、(ｂ)は図２のIIIb−IIIb線断面図、(ｃ)は図２のIIIc−IIIc線断面図である。
【図４】ブラケットを介してサーミスタを取付ける態様を斜視状態で示した説明図である。
【図５】ブラケットを介してサーミスタを取付ける手順を示した説明図である。
【図６】サーミスタを装着した恒温庫の断面図である。
【図７】従来のサーミスタの配設構造を実施した恒温庫の要部断面図である。
【図８】従来のサーミスタの配設構造において、サーミスタを取付ける状態を示した説明斜視図である。
【図９】従来のサーミスタの配設構造において、サーミスタを取付けた状態を示した説明斜視図である。
【符号の説明】
【００３６】
１４ 貯蔵室，１４Ａ 上部内壁面(内壁面)，１４Ｂ 開口，４０ ブラケット(取付部材)，
４４ 被覆板部，４６ セット口，６０ グロメット(蓋部材)，Ｔ１ 感温部，Ｔ２ 信号線
【図１】
2008014546.tif 000003
【図２】
2008014546.tif 000004
【図３】
2008014546.tif 000005
【図４】
2008014546.tif 000006
【図５】
2008014546.tif 000007
【図６】
2008014546.tif 000008
【図７】
2008014546.tif 000009
【図８】
2008014546.tif 000010
【図９】
2008014546.tif 000011